(57)【要約】【課題】二重殻低温タンク底部の鉄筋パーライトコンクリートブロックの乾燥期間を短縮してタンク全体の施工期間の短縮化を図る。【解決手段】内槽２と外槽３との間に保冷空間４を有する二重殻低温タンク１の内槽底部５を支持する鉄筋パーライトコンクリートブロック１１において、該ブロック１１の内部に、多数の孔１４ａを有する複数のパイプ１４を、所要の間隔をもって横方向に並べ、かつ、各パイプ１４の両端がブロック１１の外面に開口するように埋設してなる。【選択図】          図２
2004162740.tif 000002
【特許請求の範囲】
【請求項１】
内槽と外槽との間に保冷空間を有する二重殻低温タンクの内槽底部を支持する鉄筋パーライトコンクリートブロックにおいて、該ブロックの内部に、多数の孔を有する複数のパイプを、所要の間隔をもって横方向に並べ、かつ、各パイプの両端がブロックの外面に開口するように埋設してなることを特徴とする二重殻低温タンク底部の鉄筋パーライトコンクリートブロック。
【請求項２】
上記ブロックの内部に、上記複数のパイプを、所要の間隔を持って上下に千鳥状に埋設してなる請求項１記載の二重殻低温タンク底部の鉄筋パーライトコンクリートブロック。
【請求項３】
上記パイプに、細かいメッシュの筒体を外嵌してなる請求項１および請求項２記載の二重殻低温タンク底部の鉄筋パーライトコンクリートブロック。
【発明の詳細な説明】
【０００１】
【発明の属する技術分野】
本発明は、低温液化ガスを貯蔵する二重殻低温タンク底部の鉄筋パーライトコンクリートブロックに関するものである。
【０００２】
【従来の技術】
二重殻低温タンクは、低温液化ガスを貯蔵する内槽と保冷材支持部としての外槽によって構成されている。内槽と外槽は、それぞれ独立しており、この内槽と外槽との間に保冷空間が設けられていて、空間部に保冷層が形成されている。また、内槽底部の外周付近の真下には多数のパーライトコンクリートブロックがリング状に配置されていて、内槽を支持するとともに、保冷機能を保持している。
【０００３】
図８は従来の二重殻低温タンク底部の鉄筋パーライトコンクリートブロックの側面図である。図において、ａは二重殻低温タンクで、ｂは内槽、ｃは内槽ｂの底部である。ｄは鉄筋パーライトコンクリートブロックで、内槽底部ｃの真下にリング状に多数配置される。ｅはブロックｄ内部に埋設した鉄筋である。
【０００４】
通常、鉄筋コンクリートは、鉄筋に引っ張り荷重を分担させ、コンクリートに圧縮荷重を分担させている。上記鉄筋パーライトコンクリートブロック（以下、単に「ブロック」という。）ｄも、内部にジャングルジムのような立体構造状の鉄筋ｅを埋設している。ブロックｄは、工場やタンク建設現場近くのヤードなどで構築され後、タンク建設現場に搬入されて、内槽底部ｃの下側にリング状に配置される。ブロックｄは、型枠を組み立て、その型枠内に立体構造状の鉄筋を入れ、その中にパーライトと軽量骨材とを水で混練したコンクリートを打設し、コンクリートをある程度養成した後、型枠を取り外し、されに２〜３週間程度そのまま自然乾燥させて構築する。ブロックｄの大きさは、タンク全体の大きさにもよるが、一般に長さ２ｍ、幅１ｍ、高さ５０ｃｍ程度である。ブロックｄの大きさは、タンク施工期間を短縮するための一手段として、移動可能な範囲内で少しずつ大きくなっている。
【０００５】
ブロックｄは、保冷機能を有しているが、ブロックｄに水分が含まれているか否かによって熱の伝導率が大きく変わり、水分が含まれていると保冷機能は低下するので、良く乾かして熱伝導率を小さくすることによって保冷機能を高めることが要求されている。
【０００６】
【発明が解決しようとする課題】
しかしながら、ブロックは、パーライトと軽量骨材とを水で混練して構築するので、ブロックが大きくなるにつれ、ブロック内部の水分が抜けにくく、乾燥期間を長くする必要があり、したがって、タンク全体の施工期間が長くかかる。
【０００７】
本発明は、従来技術のかかる問題点に鑑み案出されたもので、ブロックの乾燥期間を短縮してタンク全体の施工期間の短縮を図る二重殻低温タンク底部の鉄筋パーライトコンクリートブロックを提供することを目的とする。
【０００８】
【課題を解決するための手段】
上記目的を達成するため、本発明の二重殻低温タンク底部の鉄筋パーライトコンクリートブロックは、内槽と外槽との間に保冷空間を有する二重殻低温タンクの内槽底部を支持する鉄筋パーライトコンクリートブロックにおいて、該ブロックの内部に、多数の孔を有する複数のパイプを、所要の間隔をもって横方向に並べ、かつ、各パイプの両端がブロックの外面に開口するように埋設してなるものである。
【０００９】
上記ブロックの内部に、上記複数のパイプを、所要の間隔を持って上下に千鳥状に埋設してもよい。
【００１０】
また、上記パイプに、細かいメッシュの筒体を外嵌してなるものであってもよい。
【００１１】
次に本発明の作用を説明する。内槽と外槽との間に保冷空間を有する二重殻低温タンクの内槽底部を支持する鉄筋パーライトコンクリートブロックの内部に、多数の孔を有する複数のパイプを、所要の間隔をもって横方向に並べ、かつ、各パイプの両端がブロックの外面に開口するように埋設しているので、両端がブロックの外面に開口したパイプ内を流通する空気によってブロックの内部を効率よく乾燥させることができる。必要に応じて温風を送ってやれば、さらに乾燥が促進される。したがって、ブロック乾燥の短縮化を図るとともに、タンク全体の施工期間の短縮化を図ることができる。なお、パイプは鉄筋と共に構造材としてブロックの補強に役立つ。
【００１２】
【発明の実施の形態】
以下、本発明の一実施形態について図面を参照しつつ説明する。図１は本発明の二重殻低温タンク底部の鉄筋パーライトコンクリートブロックを使用する二重殻低温タンクの部分断面図である。図２は図１のａ部の拡大図である。図３はブロックの斜視図、図４はブロックの正面図である。図５はパイプの斜視図である。図１ないし図５において、１は二重殻低温タンクである。２は二重殻低温タンク１の内槽、３は外槽である。４は内槽２と外槽３との間の保冷空間で、内槽２の側板側にグラスウール層１０ａを形成し、グラスウール層１０ａと外槽３との間にパーライト粉粒（保冷部材）１０が充填されている。なお、外槽３はコンクリートで形成されている。５は内槽２の底部（底板）である。図１に示す、６は内槽屋根、７は外槽屋根、８は内槽屋根６と外槽屋根７とを連結した連結部材（ハンガー）である。９は底板５の下方にリング状に多数配置した鉄筋コンクリートブロックである。後述する鉄筋パーライトコンクリート製ブロック１１は、二重殻低温タンク１の基礎部１７上に打設された高さ調整用コンクリート１８上であって、底板５の外周付近にリング状に多数配置される。そして鉄筋コンクリートブロック９は、このブロック１１の上に配置される。１６は内槽２内に貯蔵された低温液化ガスである。１９は基礎部１７上であって、ブロック１１の外周部に打設されたコンクリートである。
【００１３】
上記ブロック１１は、図３および図４に示すように、パーライトと軽量骨材とを水で混練したコンクリート１３により構成されていて、内部にジャングルジムのような立体構造状に形成した鉄筋１２の他に、両端がブロック１１の外面に開口し、かつ、図５に示すように、周面に多数の孔１４ａを有する複数のパイプ１４が、所要の間隔をもって横方向に並べて埋設されている。なお、孔１４ａは、コンクリート１３を打設する際、スラリー状のパーライトコンクリートが流入しない程度の大きさのものであればよい。
【００１４】
図６は請求項２に記載のパイプの正面図である。図において、複数のパイプ１４は、所要の間隔を持って上下に千鳥状に埋設されている。１４ａは多数の孔である。
【００１５】
図７は請求項３に記載のパイプの正面図である。図において、パイプ１４は、金網のような細かいメッシュの筒体１５を外嵌している。筒体１５は、コンクリート１３を打設する際、パイプ１４の孔１４ａが多少大きくても筒体１５によってパイプ１４内へのコンクリートの流入を防ぐことができる。
【００１６】
次に本実施形態の作用を説明する。内槽２と外槽３との間に保冷空間４を有する二重殻低温タンク１の内槽底部５を支持する鉄筋パーライトコンクリートブロック１１の内部に、多数の孔１４ａを有する複数のパイプ１４を、所要の間隔をもって横方向に並べ、かつ、各パイプ１４の両端がブロック１１の外面に開口するように埋設しているので、両端がブロック１１の外面に開口したパイプ１４内を流通する空気によってブロック１１の内部を効率よく乾燥させることができる。必要に応じて温風を送ってやれば、さらに乾燥が促進される。したがって、ブロック１１乾燥の短縮化を図るとともに、タンク１全体の施工期間の短縮化を図ることができる。なお、パイプ１４は鉄筋１２と共に構造材としてブロック１１の補強に役立つ。
【００１７】
本発明は、以上述べた実施形態に限定されるものではなく、発明の要旨を逸脱しない範囲で種々の変更が可能である。たとえば、ブロック内に複数のパイプを埋設した例について説明したが、多数の孔を有する１本のパイプを所定間隔をもってジグザグ状に蛇行させ、その両端をブロックの外面に開口させるように埋設してもよい。
【００１８】
【発明の効果】
以上述べたように、本発明の二重殻低温タンク底部の鉄筋パーライトコンクリートブロックは、ブロックの内部に、多数の孔を有する複数のパイプを、所要の間隔をもって横方向に並べ、かつ、各パイプの両端がブロックの外面に開口するように埋設しているので、パイプ内を流通する空気によってブロックの内部を効率よく乾燥させることができる。したがって、ブロック乾燥の短縮化を図るとともに、タンク全体の施工期間の短縮化を図ることができるという優れた効果を奏する。
【図面の簡単な説明】
【図１】本発明の二重殻低温タンク底部の鉄筋パーライトコンクリートブロックを使用する二重殻低温タンクの部分断面図である。
【図２】図１のａ部の拡大図である。
【図３】ブロックの斜視図である。
【図４】ブロックの正面図である。
【図５】パイプの斜視図である。
【図６】請求項２記載のブロックの正面図である。
【図７】請求項３記載のパイプの斜視図である。
【図８】従来のブロックの正面図である。
【符号の説明】
１      二重殻低温タンク
２      内槽
３      外槽
４      保冷空間
５      底部（底板）
６      内槽屋根
７      外槽屋根
８      連結材（ハンガー）
９      鉄筋コンクリート
１０      パーライト粉粒
１０ａ    グラスウール層
１１      鉄筋パーライトコンクリートブロック
１２      鉄筋
１４      パイプ
１４ａ    孔
１５      筒体
１６      低温液化ガス
【図１】
2004162740.tif 000003
【図２】
2004162740.tif 000004
【図３】
2004162740.tif 000005
【図４】
2004162740.tif 000006
【図５】
2004162740.tif 000007
【図６】
2004162740.tif 000008
【図７】
2004162740.tif 000009
【図８】
2004162740.tif 000010